(57)【要約】【課題】  歌詞の単語が含む子音の種類に応じて音高データ（ピッチデータ）を抽出できない採点区間が存在する場合であっても、正確な歌唱採点を行う。【解決手段】  カラオケ楽曲の歌詞である各単語の歌唱時間よりも短い時間となるように、歌唱採点の対象となる採点区間を設定し、各採点区間において、マイクロホン２３から入力された歌唱音声信号と採点リファレンスデータとを比較して歌唱採点値を算出する歌唱採点システム１０において、子音を含む採点区間について、当該子音の種類に応じて異なる採点処理を行う採点処理手段３８を備える。この採点処理手段３８は、採点に用いるための歌唱音声のピッチ検出機能であって各採点区間に含まれる母音のピッチを検出可能なピッチ検出機能を有し、子音を含む採点区間について、当該子音の時間長に応じて異なる採点処理を行うことが可能である。【選択図】図１
2015011243.tif 000002
【特許請求の範囲】
【請求項１】
カラオケ楽曲の歌詞である各単語の歌唱時間よりも短い時間となるように、歌唱採点の対象となる採点区間を設定し、各採点区間において、マイクロホンから入力された歌唱音声信号と採点リファレンスデータとを比較して歌唱採点値を算出する歌唱採点システムにおいて、
子音を含む採点区間について、当該子音の種類に応じて異なる採点処理を行う採点処理手段を備えたことを特徴とする歌唱採点システム。
【請求項２】
前記採点処理手段は、採点に用いるための歌唱音声のピッチ検出機能であって前記各採点区間に含まれる母音のピッチを検出可能なピッチ検出機能を有し、前記子音を含む採点区間について、当該子音の時間長に応じて異なる採点処理を行うことを特徴とする請求項１に記載の歌唱採点システム。
【請求項３】
前記採点処理手段は、所定の時間長以上の子音を含む採点区間の歌唱採点値を、他の所定時間以上の子音を含まない採点区間の採点値に置き換えることを特徴とする請求項２に記載の歌唱採点システム。
【請求項４】
前記採点処理手段は、所定の時間長以上の子音を含む採点区間について、採点対象となる採点区間としないことを特徴とする請求項２に記載の歌唱採点システム。
【請求項５】
前記採点処理手段は、所定の時間長以上の子音を含む採点区間の歌唱採点値を、他の所定時間以上の子音を含まない採点区間の採点値に基づき補間することにより算出することを特徴とする請求項２に記載の歌唱採点システム。
【請求項６】
前記採点処理手段は、所定の時間長以上の子音を含む採点区間の歌唱採点値を、当該子音以外の歌唱部分の割合及び採点値に基づいて算出することを特徴とする請求項２に記載の歌唱採点システム。
【発明の詳細な説明】
【技術分野】
【０００１】
本発明は、歌唱採点システムに関するものであり、特に、カラオケ楽曲の歌詞である各単語の歌唱時間よりも短い時間となるように、歌唱採点の対象となる採点区間を設定し、各採点区間において、マイクロホンから入力された歌唱音声信号と採点リファレンスデータとを比較して歌唱採点値を算出する歌唱採点システムに関するものである。
【背景技術】
【０００２】
現在普及しているカラオケシステムでは、マイクロホンから入力された歌唱音声信号と採点リファレンスデータとを比較して歌唱採点値を算出する歌唱採点機能を備えている。このような歌唱採点機能に関する技術は、例えば、特許文献１に記載されている。
【０００３】
特許文献１に記載されたカラオケ装置は、シーケンサがカラオケ演奏用データを読み出して楽音発生部に入力することによってカラオケ演奏が行われる。カラオケ歌唱者は、カラオケ演奏に合わせて歌唱し、その歌唱音声信号はマイクを介してアンプに入力されるとともにＡ／Ｄコンバータにも入力され、デジタルデータに変換する。
【０００４】
そして、データ抽出部により、デジタル化された歌唱音声信号から音高データ、音量データを抽出し、抽出した音高データ、音量データ（歌唱音声）を比較部に入力する。シーケンサはカラオケ演奏用データに並行して比較用データであるガイドメロディを読み出してこれを比較部に入力する。比較部では、抽出した音高データ、音量データと、ガイドメロディとを比較して、歌唱者の歌唱の巧拙を採点評価するようになっている。
【先行技術文献】
【特許文献】
【０００５】
【特許文献１】特開平１０−６９２１６号公報
【発明の概要】
【発明が解決しようとする課題】
【０００６】
上述したように、マイクロホンから入力され、Ａ／Ｄコンバータによりデジタル変換された歌唱音声信号と、ガイドメロディ等の歌唱採点用リファレンスデータとを比較することにより、歌唱採点値を算出することができる。しかし、特に、カラオケ楽曲の歌詞である各単語の歌唱時間よりも短い時間となるように、歌唱採点の対象となる採点区間を設定し、各採点区間において、マイクロホンから入力された歌唱音声信号と採点リファレンスデータとを比較して歌唱採点値を算出する歌唱採点システムでは、歌詞の単語の種類によっては、音高データ（ピッチデータ）を抽出できない場合がある。
【０００７】
そして、音高データ（ピッチデータ）を抽出できない採点区間においては、歌唱者が上手に歌唱しているにも拘わらず、採点リファレンスデータと比較するデータを抽出できないため歌唱採点値が低くなってしまい、正確な歌唱採点を行うことができないという問題があった。
【０００８】
すなわち、現在のカラオケシステムで利用されているピッチ検出方法では、歌詞に含まれる単語の中の子音部分（ｓ、ｔ、ｋ等）は、原則としてピッチを検出することができない。また、子音の種類に応じて、発音する時間的な長さが異なる。具体的には、同じ長さの「す」と「き」を比較すると、「す」における子音部分「ｓ」の方が、「き」における子音部分「ｋ」よりも発音時間が長い。したがって、採点区間毎にピッチ検出を行うと、サ行の発音は当該区間で子音部分「ｓ」が占める時間が長くなり、カ行の発音よりもピッチ検出の精度が低下してしまう。一方、カ行の発音は当該区間で子音部分「ｋ」が占める時間が短いため、ピッチ検出の精度が低下することは殆どない。
【０００９】
図面を参照して、「す」及び「き」を発音する際の子音部分の長さ、「す」における子音「ｓ」のＦＦＴによる周波数特性の解析結果（以下、ＦＦＴと略す、図面も同様）及び母音「ｕ」のＦＦＴ、「き」における子音「ｋ」のＦＦＴ及び母音「ｉ」のＦＦＴについて説明する。なお通常の歌唱において、子音部分すなわち「す」の発音における「ｓ」及び「き」の発音における「ｋ」の長さは、それぞれほぼ一定であると考えてよい。一方、母音部分すなわち「す」の発音における「ｕ」及び「き」の発音における「ｉ」の長さに関しては、「す」と「きー」など全体の発音を短く歌唱するか長く歌唱するかで変化する。図６は「す（ｓｕ）」の発音における子音の長さを示す説明図、図７は子音「ｓ」のＦＦＴを示す説明図、図８は母音「ｕ」のＦＦＴを示す説明図、図９は「き（ｋｉ）」の発音における子音の長さを示す説明図、図１０は子音「ｋ」のＦＦＴを示す説明図、図１１は母音「ｉ」のＦＦＴを示す説明図である。
【００１０】
図６に示すように、「す（ｓｕ）」を発音すると、子音「ｓ」の発音部分は約１１０ｍｓｅｃ続く。また、図７に示すように、子音「ｓ」を発音した場合にははっきりとした基音や倍音列が認められず、ピッチを検出することは困難である。一方、図８に示すように、母音「ｕ」を発音した場合には、周波数が約３１０Ｈｚで相対的に高いレベルを持つ基音とその略整数倍の周波数を持つ倍音列を含んでおり、ピッチを検出することが可能となる。このように、サ行の発音（例えば「す」の発音）では、採点区間において子音部分「ｓ」が占める時間が長いため、正確なピッチ検出を行うことができない。したがって、サ行の音声を含む採点区間において採点の精度を上げるためには、採点処理に工夫を施す必要がある。
【００１１】
これに対して、図９に示すように、「き（ｋｉ）」を発音すると、子音「ｋ」の発音部分は約２５ｍｓｅｃであり、子音「s」の発音部分の４分の１以下である。また、図１０に示すように、子音「ｋ」を発音した場合には、はっきりとした基音や倍音列が認められず、ピッチを検出することは困難である。一方、図１１に示すように、母音「ｉ」を発音した場合には、周波数が約３００Ｈｚで相対的に高いレベルを持つ基音とその略整数倍の周波数を持つ倍音列を含んでおり、ピッチを検出することが可能となる。このように、カ行の発音（例えば、「き」の発音）では、所定時間長の採点区間において子音部分「ｋ」が占める時間が極めて短いため、当該子音部分「ｋ」でピッチ検出を行うことができなくても、母音部分「ｉ」において、歌唱採点に必要なピッチ検出を行うことができる。したがって、カ行の音声を含む採点区間では、採点処理の精度が極端に低下することはない。
【００１２】
図６〜図１１から明らかなように、サ行及びカ行のいずれの場合であっても、母音部分は整数倍音のピークがきれいに出ており、基音でピッチ検出が可能であるのに対して、子音部分は基音の周波数域でピッチ検出しようとしてもピークが無いため、ピッチ検出（一波長の測定）ができない。さらに、カ行はサ行と比較して、子音部分「ｋ」の発音時間が短いため、子音部分「ｋ」を無視してピッチ検出を行うことができる。
【００１３】
本発明は、上述した事情に鑑み提案されたもので、歌詞の単語が含む子音の種類に応じて音高データ（ピッチデータ）を抽出できない採点区間が存在する場合であっても、正確な歌唱採点を行うことが可能な歌唱採点システムを提供することを目的とする。
【課題を解決するための手段】
【００１４】
本発明の歌唱採点システムは、上述した事情に鑑み提案されたもので、以下の特徴点を有している。すなわち、本発明の歌唱採点システムは、カラオケ楽曲の歌詞である各単語の歌唱時間よりも短い時間となるように、歌唱採点の対象となる採点区間を設定し、各採点区間において、マイクロホンから入力された歌唱音声信号と採点リファレンスデータとを比較して歌唱採点値を算出する歌唱採点システムにおいて、子音を含む採点区間について、当該子音の種類に応じて異なる採点処理を行う採点処理手段を備えたことを特徴とするものである。
【００１５】
また、本発明の歌唱採点システムにおいて、採点処理手段は、採点に用いるための歌唱音声のピッチ検出機能であって各採点区間に含まれる母音のピッチを検出可能なピッチ検出機能を有し、子音を含む採点区間について、当該子音の時間長に応じて異なる採点処理を行うことが好ましい。
【００１６】
また、歌唱音声のピッチ検出機能を有する場合に、採点処理手段は、所定の時間長以上の子音を含む採点区間の歌唱採点値を、他の所定時間以上の子音を含まない採点区間の採点値に置き換えるように構成することが可能である。
【００１７】
また、歌唱音声のピッチ検出機能を有する場合に、採点処理手段は、所定の時間長以上の子音を含む採点区間について、採点対象となる採点区間としないに構成することが可能である。
【００１８】
また、歌唱音声のピッチ検出機能を有する場合に、採点処理手段は、所定の時間長以上の子音を含む採点区間の歌唱採点値を、他の所定時間以上の子音を含まない採点区間の採点値に基づき補間することにより算出するように構成することが可能である。
【００１９】
また、歌唱音声のピッチ検出機能を有する場合に、採点処理手段は、所定の時間長以上の子音を含む採点区間の歌唱採点値を、当該子音以外の歌唱部分の割合及び採点値に基づいて算出するように構成することが可能である。
【００２０】
このような構成からなる歌唱採点システムでは、カラオケ楽曲の演奏に合わせて利用者が歌唱を行うと、マイクロホンから入力された歌唱音声信号をＡ／Ｄコンバータによりデジタル変換して、歌唱採点対象となる採点対象データを生成する。そして、採点処理手段により、所定の歌唱採点区間毎に、採点対象データと採点リファレンスデータとを比較して歌唱採点値を算出する。
【００２１】
この際、採点処理手段では、子音を含む採点区間について、当該子音の種類に応じて異なる採点処理を行う。すなわち、採点処理手段が採点に用いるための歌唱音声のピッチ検出機能を有する場合に、所定の時間長以上の子音を含む採点区間の採点値を、他の所定時間以上の子音を含まない採点区間（例えば、前後の採点区間）の採点値に置き換える。また、所定の時間長以上の子音を含む採点区間について、採点対象となる採点区間から除外してもよい。また、所定の時間長以上の子音を含む採点区間分の採点値を、他の採点区間分の採点値に基づき補間してもよい。さらに、所定の時間長以上の子音を含む採点区間について、当該子音以外の歌唱部分の割合及び採点値に基づいて、当該採点区間の採点値を算出してもよい。
【発明の効果】
【００２２】
本発明の歌唱採点システムによれば、子音を含む採点区間について、当該子音の種類に応じて異なる採点処理を行うことにより、子音を含む採点区間について、音高データ（ピッチデータ）を抽出できない場合であっても、正確な歌唱採点を行うことが可能となる。
【００２３】
特に、カラオケ楽曲の歌詞である各単語の歌唱時間よりも短い時間となるように、歌唱採点の対象となる採点区間を設定すると、音高データ（ピッチデータ）を抽出できない場合があるが、本発明の歌唱採点システムでは、このような歌唱採点区間が存在した場合であっても、正確な歌唱採点を行うことができる。
【図面の簡単な説明】
【００２４】
【図１】本発明の実施形態に係る歌唱採点システムを適用したカラオケシステムの構成を示すブロック図。
【図２】本発明の実施形態に係る歌唱採点システムにおける歌唱採点処理の実施例１を示す説明図。
【図３】本発明の実施形態に係る歌唱採点システムにおける歌唱採点処理の実施例２を示す説明図。
【図４】本発明の実施形態に係る歌唱採点システムにおける歌唱採点処理の実施例３を示す説明図。
【図５】本発明の実施形態に係る歌唱採点システムにおける歌唱採点処理の実施例４を示す説明図。
【図６】「す（ｓｕ）」の発音における子音の長さを示す説明図。
【図７】子音「ｓ」のＦＦＴを示す説明図。
【図８】母音「ｕ」のＦＦＴを示す説明図。
【図９】「き（ｋｉ）」の発音における子音の長さを示す説明図。
【図１０】子音「ｋ」のＦＦＴを示す説明図。
【図１１】母音「ｉ」のＦＦＴを示す説明図。
【発明を実施するための形態】
【００２５】
図面を参照して、本発明の歌唱採点システムの実施形態について説明する。図１〜図５は本発明の実施形態に係る歌唱採点システムを示すもので、図１は歌唱採点システムを適用したカラオケシステムの構成を示すブロック図、図２〜図５は歌唱採点処理の実施例を示す説明図である。
【００２６】
＜歌唱採点システムの概要＞
本発明の実施形態に係る歌唱採点システムは、カラオケ楽曲の歌詞である各単語の歌唱時間よりも短い時間となるように、歌唱採点の対象となる採点区間を設定し、各採点区間において、マイクロホンから入力された歌唱音声信号と採点リファレンスデータとを比較して歌唱採点値を算出するシステムに関するものである。この歌唱採点システム１０は、図１に示すようにカラオケシステム（カラオケ演奏装置２０を含むシステム）に組み込まれてその機能を実現するものであり、歌唱採点機能の一部として構成される。本実施形態の歌唱採点システム１０は、歌唱採点機能を実現するための機能手段として、採点処理手段３８を備えている。
【００２７】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２８】
＜カラオケ演奏装置＞
本発明の実施形態に係る歌唱採点システム１０を適用するカラオケ演奏装置２０は、図１に示すように、カラオケ本体２１、スピーカ２２、マイクロホン２３、表示装置２４、ミキシングアンプ２５、カラオケリモコン装置２６を備えている。なお、図示しないが、カラオケ演奏装置２０は、ルータ及びデータ通信回線を介して、管理サーバとネットワーク接続されていてもよい。
【００２９】
＜カラオケリモコン装置＞
カラオケリモコン装置２６は、ユーザインタフェース機能を備えており、カラオケ本体２１のローカル送受信手段３６との間で有線方式又は無線方式によりデータの送受信を行うようになっている。このカラオケリモコン装置２６は、楽曲検索手段２６ａとして機能するプログラム、楽曲索引データベース２６ｂ、種々のデータを記憶するためのデータ記憶部２６ｃ、データの入出力を行うための入出力表示部２６ｄ等を備えている。このカラオケリモコン装置２６に付帯するスイッチ類や、入出力表示部２６ｄに表示される各種のアイコン等を操作することにより、選曲操作等が行われる。
【００３０】
＜楽曲検索手段／楽曲索引データベース＞
楽曲検索手段２６ａは、利用者の指示に基づき、楽曲索引データベース２６ｂを参照して楽曲を検索するためのプログラムからなる。楽曲索引データベース２６ｂは、カラオケ演奏装置２０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３１】
＜マイクロホン＞
マイクロホン２３は、歌唱音声の入力を行うための装置である。マイクロホン２３から入力された歌唱音声信号は、ミキシングアンプ２５により、音楽再生制御手段３９から送出される演奏音声信号とミキシングされると共に増幅され、スピーカ２２へ出力される。なお、マイクロホン２３からの音声入力信号は、Ａ／Ｄコンバータ４０によりデジタル変換され、採点処理手段３８における歌唱採点等に使用される。
【００３２】
＜表示装置＞
表示装置２４は、カラオケ楽曲に関連した背景映像や歌詞テロップ等を表示するための装置で、例えば、液晶ディスプレイ等により構成される。
【００３３】
＜カラオケ本体＞
カラオケ本体２１は、ネットワーク送受信手段３１、中央制御手段３２、ＲＯＭ３３、ＲＡＭ３４、ＨＤＤ３５、ローカル送受信手段３６、予約管理手段３７、採点処理手段３８、音楽再生制御手段３９、Ａ／Ｄコンバータ４０、映像再生制御手段４１を備えている。
【００３４】
＜中央制御手段＞
中央制御手段３２は、カラオケ本体２１を総合的に制御するための手段であり、例えばＣＰＵ及びその周辺機器により構成されており、ＣＰＵ等がＲＯＭ３３等に記憶されたプログラムに従って動作することにより、制御機能を発揮することができるようになっている。
【００３５】
＜ＲＯＭ／ＲＡＭ＞
ＲＯＭ３３は、カラオケ本体２１を構成する各機器を制御するためのプログラムデータや数値データを記憶するための機器で、例えば半導体メモリ等で構成される。また、ＲＡＭ３４は、プログラムや各種データを一時的に記憶する一時記憶領域として機能するもので、例えば半導体メモリ等で構成される。
【００３６】
本実施形態では、ＲＡＭ３４に、予約待ち行列３４ａが記憶されるようになっている。なお、予約待ち行列３４ａは、選曲予約されたカラオケ楽曲について、演奏順に楽曲ＩＤを並べて構成されたデータテーブルであり、選曲予約者の利用者ＩＤ等、他の識別データが紐付けされている場合もある。また、ＲＡＭ３４に、歌唱採点値を記憶するようにしてもよい。
【００３７】
＜ＨＤＤ＞
ＨＤＤ３５は、大容量記憶装置として機能するもので、楽曲データベース３５ａ、映像データベース３５ｂが格納されている。なお、ＨＤＤ３５に替えて、あるいはＨＤＤ３５と共に、データを書き替え可能なＤＶＤ等の大容量記憶装置を用いてもよい。
【００３８】
＜楽曲データベース／映像データベース＞
楽曲データベース３５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース３５ｂは、演奏されるカラオケ楽曲に対応した背景映像を、当該カラオケ楽曲の楽曲ＩＤに対応させた映像ファイルとして所定数格納したデータベースである。
【００３９】
なお、本実施形態では、楽曲データベース３５ａに含まれる演奏制御データ及び歌詞描出データが、採点処理手段３８における採点リファレンスデータとして機能するが、さらに詳細な採点を行う場合には、採点リファレンスデータに他の採点要素を含ませてもよい。
【００４０】
＜送受信手段＞
ローカル送受信手段３６は、カラオケ本体２１とカラオケリモコン装置２６との間で、データの送受信を行うための電子回路及びプログラムからなる。本実施形態では、赤外線通信により、カラオケ本体２１とカラオケリモコン装置２６との間でデータの送受信が行われる。また、本実施形態では、ルータ（図示せず）との間でデータの送受信を行うためのネットワーク送受信手段３１を備えている。また、カラオケリモコン装置２６は、ルータ（図示せず）を介して、カラオケ本体２１のネットワーク送受信手段３１とデータの送受信を行うように構成してもよい。
【００４１】
＜予約管理手段＞
予約管理手段３７は、任意の利用者が選曲予約する際に、当該選曲されたカラオケ楽曲の楽曲ＩＤを含む予約待ち行列３４ａを作成して管理するためのプログラムからなる。すなわち、予約管理手段３７は、利用者により楽曲検索手段２６ａの機能を用いて選曲された楽曲ＩＤを演奏順に並べて予約待ち行列３４ａを作成し、この予約待ち行列３４ａをＲＡＭ３４に格納して管理する。また、予約待ち行列３４ａに選曲者の利用者ＩＤを含める場合には、利用者ＩＤの取得が必要となる。
【００４２】
利用者ＩＤは、利用者ＩＤカードに記憶された利用者ＩＤをカードリーダにより読み取り、あるいは、カラオケリモコン装置２６の入出力表示部２６ｄを用いて入力された利用者ＩＤ及びパスワードに基づいて取得すればよい。さらに、利用者が携帯する携帯情報端末を用いて予約を行う機能を有する場合には、当該携帯情報端末の機器ＩＤに紐付けされた利用者ＩＤを取得してもよい。また、カラオケ演奏装置２０を使用する際に、利用者に対して一時的に利用者ＩＤを付与してもよい。
【００４３】
＜採点処理手段＞
採点処理手段３８は、子音を含む採点区間について、当該子音の種類に応じて異なる採点処理を行うためのプログラムからなる。この場合、採点処理手段３８の機能として、採点に用いるための歌唱音声のピッチ検出機能であって各採点区間に含まれる母音のピッチを検出可能なピッチ検出機能を有し、子音を含む採点区間について、当該子音の時間長に応じて異なる採点処理を行うことが好ましい。なお、所定の時間長以上の子音を含む採点区間は、歌詞描出データに基づいて特定することができる。すなわち、歌詞描出データと各採点区間とは同期しており、歌詞描出データの中に、「ｓ」や「ｈ」のような所定の時間長以上の子音が含まれていると、当該歌詞描出データに相当する採点区間は、所定の時間長以上の子音を含む採点区間とすることができる。
【００４４】
＜採点処理（実施例１）＞
図２を参照して、採点処理手段３８における採点処理の実施例１を説明する。採点処理の実施例１は、所定の時間長以上の子音を含む採点区間について、ピッチ検出結果に基づく採点を行わずに、当該採点区間以外の採点区間におけるピッチ検出結果に基づく採点値を用いて、当該採点区間の採点値を置き換え又は補間するようにしたものである。
【００４５】
すなわち、図２に示すように、例えば「ｓ」や「ｈ」のように、所定の時間長以上の子音を含む採点区間が存在すると、当該採点区間については歌唱採点を行わない。そして、当該採点区間の前後の採点区間におけるピッチ検出結果に基づく採点値を用いて、当該採点区間の採点値を置き換え又は補間する。
【００４６】
図２に示す例では、所定の時間長以上の子音「ｓ」及び子音「ｈ」を含む採点区間では歌唱採点を行わずに、当該採点区間を挟んだ前後各１区間の採点区間における採点値の平均値や標準偏差等を、当該歌唱採点を行わない採点区間（子音「ｓ」及び子音「ｈ」を含む採点区間）の採点値として代替し、所定の採点区間毎の歌唱採点や楽曲全体の歌唱採点を行う。
【００４７】
なお、所定の時間長以上の子音を含む採点区間の採点値に代替するのは、当該採点区間の１区間前の採点区間、１区間後の採点区間、当該採点区間を挟んだ前後各１区間の採点区間、当該採点区間を挟んだ前後複数区間の採点区間等、適宜変更して実施することができる。また、直前又は直後の採点区間においても所定の時間長以上の子音を含んでいる場合には、さらに当該採点区間以外の採点区間の採点値を代替採点値とする。
【００４８】
具体的には、図２に示すように、区間（１）では、所定の時間長以上の子音「ｓ」を含んでいるため、採点を行わない。この区間（１）は、前区間が存在しないため、後区間である区間（２）の採点値である８０点を区間（１）の採点値として置き換える。また、区間（３）では子音「ｋ」を含んでいるが、子音「ｋ」は発音時間が短く、子音「ｋ」以外の部分で十分にピッチ検出を行うことができるため、実際の採点値である７５点を区間（３）の採点値とする。また、区間（５）では、所定の時間長以上の子音「ｈ」を含んでいるため、採点を行わない。この区間（５）は、前後区間が存在するため、区間（４）の採点値である７８点と区間（６）の採点値である８２点の平均値をとって、８０点を区間（５）の採点値として補間する。
【００４９】
＜採点処理（実施例２）＞
図３を参照して、採点処理手段３８における採点処理の実施例２を説明する。採点処理の実施例２は、所定の時間長以上の子音を含む採点区間について、採点対象となる採点区間としないようにしたものである。
【００５０】
すなわち、図３に示すように、例えば「ｓ」や「ｈ」のように、所定の時間長以上の子音を含む採点区間が存在すると、当該採点区間については歌唱採点を行わない。そして、当該採点区間以外の採点区間の採点値に基づいて、所定の採点区間毎の歌唱採点や楽曲全体の歌唱採点を行う。
【００５１】
図３に示す例では、所定の時間長以上の子音「ｓ」及び子音「ｈ」を含む採点区間では歌唱採点を行わずに、当該採点区間以外の採点区間の採点値に基づいて、所定の採点区間毎の歌唱採点や楽曲全体の歌唱採点を行う。
【００５２】
具体的には、図３に示すように、区間（１）では、所定の時間長以上の子音「ｓ」を含んでいるため、採点を行ったとしても、当該採点値は総合採点結果に反映させない。なお、実施例１と同様に、区間（１）について、採点を行わなくてもよい。また、区間（３）では子音「ｋ」を含んでいるが、子音「ｋ」は発音時間が短く、子音「ｋ」以外の部分で十分にピッチ検出を行うことができるため、実際の採点値である７５点を区間（３）の採点値として、当該採点値を総合採点結果に反映させる。また、区間（５）では、所定の時間長以上の子音「ｈ」を含んでいるため、採点を行ったとしても、当該採点値は総合採点結果に反映させない。また、区間（５）では、区間（１）と同様に、採点を行わなくてもよい。
【００５３】
＜採点処理（実施例３）＞
図４を参照して、採点処理手段３８における採点処理の実施例３を説明する。採点処理の実施例３は、所定の時間長以上の子音を含む採点区間について、当該子音以外の歌唱部分の割合及び採点値に基づいて、当該採点区間の採点値を算出するようにしたものである。
【００５４】
図４に示すように、例えば「ｓ」や「ｈ」のように、所定の時間長以上の子音を含む採点区間が存在すると、当該採点区間について、以下の採点処理を行う。すなわち、当該採点区間において、所定の時間長以上の子音の歌唱部分と、ピッチ検出を行うことができる歌唱部分との時間比率を算出し、所定の時間長以上の子音の歌唱部分では、その時間比率に応じた満点を与える。一方、ピッチ検出を行うことができる歌唱部分では、その時間比率及び採点値に基づいて、当該採点区間の採点値を算出する。そして、時間比率に応じて算出した子音の歌唱部分の採点値及びそれ以外の歌唱部分の採点値を加算して、当該所定の時間長以上の子音を含む採点区間の採点値とする。
【００５５】
図４に示す例では、所定の時間長以上の子音「ｓ」及び子音「ｈ」を含む採点区間において、当該子音「ｓ」及び子音「ｈ」を含む歌唱部分では、所定の時間長以上の子音の歌唱部分と、ピッチ検出を行うことができる歌唱部分との時間比率を算出し、それぞれ採点値を算出して合算する。これにより、所定の時間長以上の子音「ｓ」及び子音「ｈ」を含む採点区間についても、ほぼ正確な歌唱採点を行うことができる。
【００５６】
具体的には、図４に示すように、区間（１）では、所定の時間長以上の子音「ｓ」を含んでいるため、子音「ｓ」の歌唱部分については、その時間比率に応じた満点を付与する。また、区間（１）において、子音「ｓ」を含んでいる歌唱部分以外の採点を行い、その時間比率に応じて当該歌唱部分の採点値を算出する。図４に示す例では、子音「ｓ」の歌唱部分が区間（１）の３０％、子音「ｓ」を含んでいる歌唱部分以外が区間（１）の７０％であり、区間（１）の採点値は６０点である。したがって、区間（１）における採点値は、｛１００点×（３０／１００）｝＋｛６０点×（７０／１００）｝＝７２点となる。
【００５７】
また、区間（３）では子音「ｋ」を含んでいるが、子音「ｋ」は発音時間が短く、子音「ｋ」以外の部分で十分にピッチ検出を行うことができるため、実際の採点値である７５点を区間（３）の採点値とする。
【００５８】
また、区間（５）では、所定の時間長以上の子音「ｈ」を含んでいるため、子音「ｈ」の歌唱部分については、その時間比率に応じた満点を付与する。また、区間（５）において、子音「ｈ」を含んでいる歌唱部分以外の採点を行い、その時間比率に応じて当該歌唱部分の採点値を算出する。図４に示す例では、子音「ｈ」の歌唱部分が区間（１）の４０％、子音「ｈ」を含んでいる歌唱部分以外が区間（５）の６０％であり、区間（５）の採点値は５５点である。したがって、区間（５）における採点値は、｛１００点×（４０／１００）｝＋｛５５点×（６０／１００）｝＝７３点となる。
【００５９】
＜採点処理（実施例４）＞
図５を参照して、採点処理手段３８における採点処理の実施例４を説明する。採点処理の実施例４は、所定の時間長以上の子音を含む採点区間について、当該子音以外の歌唱部分の割合及び採点値に基づいて、当該採点区間の採点値を算出するようにする点で、実施例３と同様である。
【００６０】
以下、実施例３とは異なる採点値の算出方法についてのみ説明する。実施例４では、図５に示すように、区間（１）では、所定の時間長以上の子音「ｓ」を含んでいるため、子音「ｓ」の歌唱部分については、採点できなかったものとして、補正した採点値を採用する。すなわち、区間（１）において、子音「ｓ」を含んでいる歌唱部分以外の採点を行い、その時間比率に応じて当該歌唱部分の採点値を算出する。そして、子音「ｓ」を含んでいる歌唱部分では、子音「ｓ」の歌唱部分以外の採点値を用いて、子音「ｓ」の歌唱部分の時間比率に応じて当該歌唱部分の採点値を算出する。図５に示す例では、子音「ｓ」の歌唱部分が区間（１）の３０％、子音「ｓ」を含んでいる歌唱部分以外が区間（１）の７０％であり、子音「ｓ」を含んでいる歌唱部分以外の採点値は５２点である。したがって、区間（１）における補正採点値は、（子音部分の推定採点値＝２２点）＋（子音部分以外の実採点値＝５２点）＝７４点となる。
【００６１】
また、区間（３）では子音「ｋ」を含んでいるが、子音「ｋ」は発音時間が短く、子音「ｋ」以外の部分で十分にピッチ検出を行うことができるため、実際の採点値である７５点を区間（３）の採点値とする。
【００６２】
また、区間（５）では、所定の時間長以上の子音「ｈ」を含んでいる歌唱部分以外の採点を行い、その時間比率に応じて当該歌唱部分の採点値を算出する。そして、子音「ｈ」を含んでいる歌唱部分では、子音「ｈ」の歌唱部分以外の採点値を用いて、子音「ｈ」の歌唱部分の時間比率に応じて当該歌唱部分の採点値を算出する。図５に示す例では、子音「ｈ」の歌唱部分が区間（１）の４０％、子音「ｈ」を含んでいる歌唱部分以外が区間（１）の６０％であり、子音「ｈ」を含んでいる歌唱部分以外の採点値は４５点である。したがって、区間（５）における補正採点値は、（子音部分の推定採点値＝３０点）＋（子音部分以外の実採点値＝４５点）＝７５点となる。
【００６３】
＜音楽再生制御手段＞
音楽再生制御手段３９は、楽曲ＩＤに基づいて演奏データから抽出された演奏制御データに基づいて、音源データをデジタル再生すると共にアナログ変換してミキシングアンプ２５に出力するための電子回路である。上述したように、ミキシングアンプ２５は、マイクロホン２３から入力された歌唱者の歌唱音声信号と、音楽再生制御手段３９から送出される演奏音声信号とをミキシングすると共に、アンプ機能により増幅してスピーカ２２より出力するための装置である。
【００６４】
＜映像再生制御手段＞
映像再生制御手段４１は、カラオケ楽曲の演奏中に、映像データベース３５ｂから抽出した背景映像データと、演奏データに含まれる歌詞描出データに基づいて作成される歌詞文字とを、当該カラオケ楽曲の演奏データに同期させて表示装置２４に出力する。
【００６５】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６６】
１０  歌唱採点システム
２０  カラオケ演奏装置
２１  カラオケ本体
２２  スピーカ
２３  マイクロホン
２４  表示装置
２５  ミキシングアンプ
２６  カラオケリモコン装置
２６ａ  楽曲検索手段
２６ｂ  楽曲索引データベース
２６ｃ  データ記憶部
２６ｄ  入出力表示部
３１  ネットワーク送受信手段
３２  中央制御手段
３３  ＲＯＭ
３４  ＲＡＭ
３４ａ  予約待ち行列
３５  ＨＤＤ
３５ａ  楽曲データベース
３５ｂ  映像データベース
３６  ローカル送受信手段
３７  予約管理手段
３８  採点処理手段
３９  音楽再生制御手段
４０  Ａ／Ｄコンバータ
４１  映像再生制御手段
【図１】
2015011243.tif 000003
【図２】
2015011243.tif 000004
【図３】
2015011243.tif 000005
【図４】
2015011243.tif 000006
【図５】
2015011243.tif 000007
【図６】
2015011243.tif 000008
【図７】
2015011243.tif 000009
【図８】
2015011243.tif 000010
【図９】
2015011243.tif 000011
【図１０】
2015011243.tif 000012
【図１１】
2015011243.tif 000013